(57)【要約】【課題】利便性良好に且つ確実に緊急放送が放送されていることを報知する。【解決手段】放送受信機のＣＰＵ１５は、制御信号受信部１０によって受信された重要度情報が予め設定された重要度の範囲内であるか否かを判定する重要度判定部１５１と、予め設定された重要度の範囲内であると判定された場合に、制御信号受信部１０を介して緊急放送に含まれる文字列情報を取得する文字取得部１５２と、取得された文字列情報に含まれる単語の出現回数を単語毎にカウントするカウント部１５３と、カウントされた出現回数が予め設定された閾値回数以上であるか否かを単語毎に判定する回数判定部１５４と、閾値回数以上であると判定された場合に、対応する音声情報を生成する音声生成部１５５と、生成された音声情報に対応する音声をスピーカ１４２に出力する音声出力部１５６と、を備えている。【選択図】図２
2008311757.tif 000002
【特許請求の範囲】
【請求項１】
テレビジョン放送を受信し、受信された映像をモニタに出力すると共に、受信された音声をスピーカに出力する放送受信装置であって、
緊急放送の重要性の程度を示す情報である重要度情報（ａｌｅｒｔ＿ｐｒｉｏｒｉｔｙ）を受信する緊急放送受信手段と、
前記緊急放送受信手段によって受信された重要度情報が、予め設定された重要度の範囲内であるか否かを判定する重要度判定手段と、
前記重要度判定手段によって予め設定された重要度の範囲内であると判定された場合に、前記緊急放送受信手段を介して、緊急放送に含まれる文字列情報を取得する文字取得手段と、
前記文字取得手段によって取得された文字列情報に含まれる単語の出現回数を、文字列情報に含まれる単語毎にカウントするカウント手段と、
前記カウント手段によってカウントされた出現回数が予め設定された閾値回数以上であるか否かを文字列情報に含まれる単語毎に判定する回数判定手段と、
前記回数判定手段によって閾値回数以上であると判定された場合に、閾値回数以上であると判定された単語に対応する音声情報を生成する音声生成手段と、
前記音声生成手段によって生成された音声情報に対応する音声をスピーカに出力する音声出力手段と、
を備えることを特徴とする放送受信装置。
【請求項２】
予め複数の音声として出力する対象の単語である登録単語情報を格納する単語記憶手段と、
前記単語記憶手段に格納された登録単語に対応する音声情報を予め格納する音声記憶手段と、
を備え、
前記カウント手段は、前記文字取得手段によって取得された文字列情報に含まれる前記登録単語の出現回数をカウントし、
前記回数判定手段は、前記カウント手段によってカウントされた出現回数が予め設定された閾値回数以上であるか否かを前記登録単語毎に判定し、
前記音声生成手段は、前記回数判定手段によって閾値回数以上であると判定された場合に、閾値回数以上であると判定された登録単語に対応する音声情報を前記音声記憶手段から読み出すことにより生成することを特徴とする請求項１に記載の放送受信装置。
【請求項３】
前記単語記憶手段は、地震、火災、及び、爆発の内、少なくとも１の単語を登録単語として格納することを特徴とする請求項２に記載の放送受信装置。
【請求項４】
前記緊急放送受信手段は、ケーブルを介して、放送信号の周波数帯域とは異なる予め設定された特定の周波数帯域を介して、重要度情報を受信することを特徴とする請求項１〜請求項３のいずれかに記載の放送受信装置。
【発明の詳細な説明】
【技術分野】
【０００１】
本発明は、テレビジョン放送を受信し、受信された映像をモニタに出力すると共に、受信された音声をスピーカに出力する放送受信装置に関する。
【背景技術】
【０００２】
近年、デジタル放送の普及に伴い、緊急放送を確実にユーザに伝えるための種々の装置、方法等が提案されている。例えば、緊急放送番組の発生を検出した場合には、その緊急放送番組を録画し、録画開始直後あるいは録画終了直後にユーザに対して前記緊急放送番組の発生を装置の表示部へのメッセージ表示、あるいは光、警報音の発生により通知するデジタル放送録画再生装置が開示されている（特許文献１参照）。
【特許文献１】特開２００６−１０９１２２号公報
【発明の開示】
【発明が解決しようとする課題】
【０００３】
一方、北米ではケーブルテレビのデジタル化に伴い、緊急度によってＯＯＢ（Ｏｕｔ  Ｏｆ  Ｂａｎｄ）からのデータ信号内に緊急放送の重要性の程度を示す情報である重要度情報（ａｌｅｒｔ＿ｐｒｉｏｒｉｔｙ）が送信され、重要度情報が「１」〜「１１」の場合、モニタ上に緊急放送の内容を示すテキストをスクロール表示することが義務化されている。（ＡＮＳＩ  Ｊ−ＳＴＤ−０４２、Ｅｍｅｒｇｅｎｃｙ  Ａｌｅｒｔ  Ｍｅｓｓａｇｅ  ｆｏｒ  Ｃａｂｌｅ、Ｄｅｃｅｍｂｅｒ  ２００２）。
【０００４】
しかしながら、上記デジタル放送録画再生装置等の従来の放送受信装置においては、ユーザが放送受信装置を視聴していない場合（ユーザが放送受信装置の近くに居ない場合、睡眠中である場合等）には、ユーザは緊急放送が放送されていることを知ることができない場合がある。
【０００５】
本発明は、上記課題に鑑みてなされたものであって、利便性良好に且つ確実に緊急放送が放送されていることを報知することの可能な放送受信装置を提供することを目的としている。
【課題を解決するための手段】
【０００６】
上記目的を達成するために請求項１に記載の放送受信装置は、テレビジョン放送を受信し、受信された映像をモニタに出力すると共に、受信された音声をスピーカに出力する放送受信装置であって、緊急放送の重要性の程度を示す情報である重要度情報（ａｌｅｒｔ＿ｐｒｉｏｒｉｔｙ）を受信する緊急放送受信手段と、前記緊急放送受信手段によって受信された重要度情報が、予め設定された重要度の範囲内であるか否かを判定する重要度判定手段と、前記重要度判定手段によって予め設定された重要度の範囲内であると判定された場合に、前記緊急放送受信手段を介して、緊急放送に含まれる文字列情報を取得する文字取得手段と、前記文字取得手段によって取得された文字列情報に含まれる単語の出現回数を、文字列情報に含まれる単語毎にカウントするカウント手段と、前記カウント手段によってカウントされた出現回数が予め設定された閾値回数以上であるか否かを文字列情報に含まれる単語毎に判定する回数判定手段と、前記回数判定手段によって閾値回数以上であると判定された場合に、閾値回数以上であると判定された単語に対応する音声情報を生成する音声生成手段と、前記音声生成手段によって生成された音声情報に対応する音声をスピーカに出力する音声出力手段と、を備えることを特徴としている。
【０００７】
請求項２に記載の放送受信装置は、請求項１に記載の放送受信装置であって、予め複数の音声として出力する対象の単語である登録単語情報を格納する単語記憶手段と、前記単語記憶手段に格納された登録単語に対応する音声情報を予め格納する音声記憶手段と、を備え、前記カウント手段が、前記文字取得手段によって取得された文字列情報に含まれる前記登録単語の出現回数をカウントし、前記回数判定手段が、前記カウント手段によってカウントされた出現回数が予め設定された閾値回数以上であるか否かを前記登録単語毎に判定し、前記音声生成手段が、前記回数判定手段によって閾値回数以上であると判定された場合に、閾値回数以上であると判定された登録単語に対応する音声情報を前記音声記憶手段から読み出すことにより生成することを特徴としている。
【０００８】
請求項３に記載の放送受信装置は、請求項２に記載の放送受信装置であって、前記単語記憶手段が、地震、火災、及び、爆発の内、少なくとも１の単語を登録単語として格納することを特徴としている。
【０００９】
請求項４に記載の放送受信装置は、請求項１〜請求項３のいずれかに記載の放送受信装置であって、前記緊急放送受信手段が、ケーブルを介して、放送信号の周波数帯域とは異なる予め設定された特定の周波数帯域を介して、重要度情報を受信することを特徴としている。
【発明の効果】
【００１０】
請求項１に記載の放送受信装置によれば、緊急放送受信手段によって、緊急放送の重要性の程度を示す情報である重要度情報（ａｌｅｒｔ＿ｐｒｉｏｒｉｔｙ）が受信される。また、緊急放送受信手段によって受信された重要度情報が、予め設定された重要度の範囲内であるか否かが判定され、予め設定された重要度の範囲内であると判定された場合に、緊急放送受信手段を介して、緊急放送に含まれる文字列情報が取得される。そして、取得された文字列情報に含まれる単語の出現回数が、文字列情報に含まれる単語毎にカウントされ、カウントされた出現回数が予め設定された閾値回数以上であるか否かが文字列情報に含まれる単語毎に判定される。更に、閾値回数以上であると判定された場合に、閾値回数以上であると判定された単語に対応する音声情報が生成され、生成された音声情報に対応する音声がスピーカに出力されるため、利便性良好に確実に且つ緊急放送が放送されていることを報知することができる。
【００１１】
すなわち、緊急放送受信手段によって受信された重要度情報が、予め設定された重要度の範囲内であると判定された場合に、緊急放送受信手段を介して、緊急放送に含まれる文字列情報が取得され、取得された文字列情報に含まれる単語の出現回数が、予め設定された閾値回数以上であると判定された場合に、閾値回数以上であると判定された単語に対応する音声情報が生成され、生成された音声情報に対応する音声がスピーカに出力されるため、ユーザが視聴していない場合（ユーザが装置の近くに居ない場合、睡眠中である場合等）であっても、スピーカから出力される音声によって緊急放送が放送されていることを知ることができるので、利便性良好に且つ確実に緊急放送が放送されていることを報知することができるのである。
【００１２】
つまり、緊急放送に含まれる文字列情報に含まれる単語の出現回数が、予め設定された閾値回数以上であると判定された単語に対応する音声がスピーカに出力されるため、ユーザは、スピーカから出力される単語によって、緊急放送の概要を確実に報知することができるのである。また、緊急放送の概要を知ることができるので、単にスピーカから警報が発せられる場合とは異なり、緊急放送の視聴要否、又は、避難等の要否等を判断することができるので、更に利便性を向上することができるのである。
【００１３】
請求項２に記載の放送受信装置によれば、予め複数の音声として出力する対象の単語である登録単語情報が単語記憶手段に格納されており、単語記憶手段に格納された登録単語に対応する音声情報が音声記憶手段に予め格納されている。そして、取得された文字列情報に含まれる登録単語の出現回数がカウントされ、カウントされた出現回数が予め設定された閾値回数以上であるか否かが登録単語毎に判定され、閾値回数以上であると判定された場合に、閾値回数以上であると判定された登録単語に対応する音声情報が音声記憶手段から読み出すことにより生成されるため、更に利便性を向上することができる。
【００１４】
すなわち、取得された文字列情報に含まれる登録単語の出現回数がカウントされ、カウントされた出現回数が予め設定された閾値回数以上であるか否かが単語記憶手段に格納された登録単語毎に判定され、閾値回数以上であると判定された場合に、閾値回数以上であると判定された登録単語に対応する音声が出力されるため、登録単語としてユーザにとって重要度の高い単語を単語記憶手段に格納しておくことによって、更に利便性を向上することができるのである。また、登録単語に対応する音声情報が音声記憶手段から読み出すことにより生成されるため、簡素な構成で音声情報を生成することができるのである。
【００１５】
請求項３に記載の放送受信装置によれば、単語記憶手段に、地震、火災、及び、爆発の内、少なくとも１の単語が登録単語として格納されているため、登録単語としてユーザにとって重要度の高い単語が単語記憶手段に格納されているので、更に利便性を向上することができるのである。
【００１６】
請求項４に記載の放送受信装置によれば、緊急放送受信手段によって、ケーブルを介して、放送信号の周波数帯域とは異なる予め設定された特定の周波数帯域を介して、重要度情報が受信されるため、更に確実に緊急放送が放送されていることを報知することができる。
【発明を実施するための最良の形態】
【００１７】
以下に本発明の実施形態を、図面を参照しながら説明する。図１は、本発明に係る放送受信機の構成の一例を示すブロック図である。放送受信機１は、ケーブルを介してアナログ放送及びテレビジョン放送を受信し、ディスプレイ１４１及びスピーカ１４２に出力するものであって、制御信号受信部１０、放送受信部１１、ＭＰＥＧ２デコーダ１２、ＮＴＳＣデコーダ１３、出力部１４、ディスプレイ１４１、スピーカ１４２、ＣＰＵ１５、メモリ１６、及び、復号部１７を備えている。また、放送受信機１は、ＰＣＭＣＩＡカード２が着脱自在に構成され、ＰＣＭＣＩＡカード２との間で通信可能に構成されている。
【００１８】
制御信号受信部１０（緊急放送受信手段に相当する）は、チューナ部１０１及び復調部１０２を備え、ケーブルを介して緊急放送の重要性の程度を示す情報である重要度情報（ａｌｅｒｔ＿ｐｒｉｏｒｉｔｙ）等を受信するものである。また、制御信号受信部１０は、放送信号の周波数帯域（＝インバンド）とは異なる予め設定された特定の周波数帯域（＝ＯＯＢ（Ｏｕｔ  Ｏｆ  Ｂａｎｄ）：７０〜１３０ＭＨｚ）を介して、重要度情報等を受信するものである。また、制御信号受信部１０は、ケーブルを介して受信した重要度情報等の情報をＰＣＭＣＩＡカード２（ＣＰＵ２１）へ出力するものである。
【００１９】
チューナ部１０１は、ケーブルを介して特定の周波数帯域（＝ＯＯＢ（Ｏｕｔ  Ｏｆ  Ｂａｎｄ）：７０〜１３０ＭＨｚ）の信号を受信するものである。復調部１０２は、チューナ部１０１からの重要度情報等の出力情報を復調し、復調された情報をＰＣＭＣＩＡカード２（ＣＰＵ２１）へ出力するものである。
【００２０】
放送受信部１１は、ケーブルを介してテレビジョン放送を受信して復調するものであって、チューナ部１１１、復調部１１２、及び、ＴＳデマルチプレクサ１１３を備えている。
【００２１】
チューナ部１１１は、ケーブルを介してテレビジョン放送波から、予め設定されたチャンネルの放送を選局するものである。復調部１１２は、チューナ部１１１からの出力情報を復調するものである。ＴＳ（Ｔｒａｎｓｐｏｒｔ  Ｓｔｒｅａｍ）デマルチプレクサ１１３は、復調部１１２によって復調された出力情報を種別毎に分離して出力するものである。ＭＰＥＧ（Ｍｏｔｉｏｎ  Ｐｉｃｔｕｒｅ  Ｅｘｐｅｒｔｓ  Ｇｒｏｕｐ）２デコーダ１２は、ＴＳデマルチプレクサ１１３から出力された映像情報を圧縮前の映像情報に復号化するものである。
【００２２】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）デコーダ１３は、アナログ放送からのＮＴＳＣ方式のテレビジョン信号（＝ＣＶＢＳ（Ｃｏｍｐｏｓｉｔｅ  Ｖｉｄｅｏ  Ｂａｓｅｂａｎｄ  Ｓｉｇｎａｌ）信号）を映像情報（＝ＣＣＩＲ６５６）に変換するものである。
【００２３】
出力部１４は、ＭＰＥＧ２デコーダ１２によって復号化された映像情報、音声情報、又は、ＮＴＳＣデコーダ１３からの映像情報、音声情報をディスプレイ１４１及びスピーカ１４２に対して出力するものである。ディスプレイ１４１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１４から出力された映像情報に対応する映像を表示するものである。スピーカ１４２は、出力部１４から出力された音声情報に対応する音声を出力するものである。
【００２４】
ＣＰＵ（Ｃｅｎｔｒａｌ  Ｐｒｏｃｅｓｓｉｎｇ  Ｕｎｉｔ）１５は、放送受信機１全体の動作を制御するものである。メモリ１６は、ＲＡＭ（Ｒａｎｄｏｍ  Ａｃｃｅｓｓ  Ｍｅｍｏｒｙ）等からなり、登録単語情報等の種々の情報を格納するものである。復号部１７は、ＰＣＭＣＩＡカード２（暗号化部２４）からの暗号化されたＴＳ（Ｔｒａｎｓｐｏｒｔ  Ｓｔｒｅａｍ）を複合化し、複合化されたＴＳをＴＳデマルチプレクサ１１３へ出力するものである。
【００２５】
ＰＣＭＣＩＡカード２は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したＩＣ（Ｉｎｔｅｇｒａｔｅｄ  Ｃｉｒｃｕｉｔ）カードであって、放送受信部１１から暗号化されたデジタル放送が受信された場合に、受信された暗号化されたデジタル放送を復号化するものである。また、ＰＣＭＣＩＡカード２は、ＣＰＵ２１、メモリ２２、復号部２３、及び、暗号化部２４を備えている。
【００２６】
ＣＰＵ２１は、放送受信機１に配設されたＣＰＵ１５と通信可能に接続され、ＰＣＭＣＩＡカード２全体の制御を行うものである。また、ＣＰＵ２１は、制御信号受信部１０を介して受信された重要度情報（ａｌｅｒｔ＿ｐｒｉｏｒｉｔｙ）、文字列情報等を放送受信機１のＣＰＵ１５に出力すると共に、放送受信部１１を介して受信された暗号化されたデジタル放送の映像情報等を復号部２３及び暗号化部２４を介して復号部１７へ出力するものである。メモリ２２は、フラッシュメモリ等の不揮発性メモリであって、復号部２３が復号化処理を実行するためのファームウェア情報等を格納するものである。
【００２７】
復号部２３は、放送受信部１１から暗号化されたデジタル放送が受信された場合に、ＣＰＵ２１を介して復調部１１２から入力される暗号化されたデジタル放送を復号化し、復号化された映像情報を、暗号化部２４を介してＴＳ（Ｔｒａｎｓｐｏｒｔ  Ｓｔｒｅａｍ）デマルチプレクサ１１３へ出力するものである。暗号化部２４は、復号部２３によって復号化された映像情報を暗号化し、暗号化された映像情報を復号部１７へ出力するものである。
【００２８】
図２は、図１に示す放送受信機１における主要部の機能構成の一例を示す構成図である。ＣＰＵ１５は、機能的に、重要度判定部１５１、文字取得部１５２、カウント部１５３、回数判定部１５４、音声生成部１５５、及び、音声出力部１５６を備え、メモリ１６は、機能的に、単語記憶部１６１、及び、音声記憶部１６２を備えている。
【００２９】
ここでは、ＣＰＵ１５が、図略のＲＯＭ（Ｒｅａｄ  Ｏｎｌｙ  Ｍｅｍｏｒｙ）等に予め格納された制御プログラムを読み出して実行することにより、重要度判定部１５１、文字取得部１５２、カウント部１５３、回数判定部１５４、音声生成部１５５、音声出力部１５６等の機能部として機能すると共に、メモリ１６を、単語記憶部１６１、音声記憶部１６２等の機能部として機能させるものである。
【００３０】
また、メモリ１６、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３１】
単語記憶部１６１（単語記憶手段に相当する）は、予め複数の音声として出力する対象の単語である登録単語情報を格納するものである。具体的には、単語記憶部１６１は、登録単語として、少なくとも「地震（＝ｅａｒｔｈｑｕａｋｅ、ｓｈｏｃｋ）」、「火災（＝ｆｉｒｅ）」、及び、「爆発（＝ｅｘｐｌｏｓｉｏｎ）」を格納するものである。なお、単語記憶部１６１に格納された登録単語は、カウント部１５３によって読み出されるものである。
【００３２】
音声記憶部１６２（音声記憶手段に相当する）は、単語記憶部１６１に格納された登録単語に対応する音声情報を予め格納するものである。なお、単語記憶部１６１に格納された音声情報は、音声生成部１５５によって読み出されるものである。
【００３３】
重要度判定部１５１（重要度判定手段に相当する）は、制御信号受信部１０によって受信された重要度情報が、予め設定された重要度の範囲内であるか否かを判定するものである。ここでは、制御信号受信部１０によって受信された重要度情報（ａｌｅｒｔ＿ｐｒｉｏｒｉｔｙ）の示す重要度が「１」〜「１１」の範囲内である場合に、予め設定された重要度の範囲内であると判定するものである。
【００３４】
図３は、重要度情報の一例を示す図表である（ＡＮＳＩ  Ｊ−ＳＴＤ−０４２、Ｅｍｅｒｇｅｎｃｙ  Ａｌｅｒｔ  Ｍｅｓｓａｇｅ  ｆｏｒ  Ｃａｂｌｅ、Ｄｅｃｅｍｂｅｒ  ２００２参照）。図の左側の欄は、重要度を示す数値であり、中央の欄は、各重要度情報の意味であり、右側の欄は、音声出力が要求されるか否かを示すものである。図に示すように、重要度を示す数値は、「０」〜「１５」のいずれかに設定されており、重要度が「１」〜「１１」の範囲内である場合（＝ａｌｅｒｔ＿ｐｒｉｏｒｉｔｙが「１」〜「１１」の範囲内である場合）、ディスプレイ１４１上に緊急放送の内容を示すテキストをスクロール表示することが義務化されている。なお、緊急放送の内容を示すテキスト情報は、ＯＯＢを介して放送され、制御信号受信部１０によって受信される。
【００３５】
また、重要度が「１５」である場合（＝ａｌｅｒｔ＿ｐｒｉｏｒｉｔｙが「１５」である場合：最重要（Ｍａｘｉｍｕｍ  ｐｒｉｏｒｉｔｙ）である場合）には、緊急放送が放送されているチャンネルへ強制的に変更することが義務化されている。
【００３６】
再び、図２に戻って、ＣＰＵ１５の機能構成について説明する。文字取得部１５２（文字取得手段の一部に相当する）は、重要度判定部１５１によって予め設定された重要度の範囲内である（ここでは、ａｌｅｒｔ＿ｐｒｉｏｒｉｔｙが「１」〜「１１」の範囲内である）と判定された場合に、制御信号受信部１０を介して、緊急放送の内容を示す文字列情報を取得するものである。
【００３７】
カウント部１５３（カウント手段に相当する）は、文字取得部１５２によって取得された文字列情報に含まれる単語の出現回数を、文字列情報に含まれる単語毎にカウントするものである。ここでは、カウント部１５３は、文字取得部１５２によって取得された文字列情報に含まれ、単語記憶部１６１に格納された登録単語の出現回数をカウントするものである。
【００３８】
回数判定部１５４（回数判定手段に相当する）は、カウント部１５３によってカウントされた出現回数が予め設定された閾値回数（例えば、１０回）以上であるか否かを文字列情報に含まれる単語毎に判定するものである。ここでは、回数判定部１５４は、カウント部１５３によってカウントされた出現回数が予め設定された閾値回数以上であるか否かを、単語記憶部１６１に格納された登録単語毎に判定するものである。
【００３９】
音声生成部１５５（音声生成手段に相当する）は、回数判定部１５４によって閾値回数（ここでは、１０回）以上であると判定された場合に、閾値回数以上であると判定された単語に対応する音声情報を生成するものである。ここでは、音声生成部１５５は、回数判定部１５４によって閾値回数以上であると判定された場合に、閾値回数以上であると判定され、単語記憶部１６１に格納された登録単語に対応する音声情報を音声記憶部１６２から読み出すことにより生成するものである。
【００４０】
音声出力部１５６（音声出力手段に相当する）は、音声生成部１５５によって生成された音声情報に対応する音声をスピーカ１４２に出力するものである。また、音声出力部１５６は、図略の操作部を介してユーザからの操作入力を受け付けて、音声を停止する旨の操作入力が受け付けられた場合に、スピーカ１４２からの音声を停止するものである。
【００４１】
図４は、放送受信機１（主にＣＰＵ１５）の動作の一例を示すフローチャートである。まず、重要度判定部１５１によって、制御信号受信部１０を介して重要度情報が受信されたか否かの判定が行われる（Ｓ１０１）。重要度情報が受信されていないと判定された場合（Ｓ１０１でＮＯ）には、処理が待機状態とされる。重要度情報が受信されたと判定された場合（Ｓ１０１でＹＥＳ）には、ステップＳ１０１において受信された重要度情報が、予め設定された重要度の範囲内であるか否か（ここでは、重要度情報（ａｌｅｒｔ＿ｐｒｉｏｒｉｔｙ）の示す重要度が「１」〜「１１」の範囲内であるか否か）が判定される（Ｓ１０３）。
【００４２】
予め設定された重要度の範囲内ではないと判定された場合（Ｓ１０３でＮＯ）には、処理がステップＳ１０１に戻され、ステップＳ１０１以降の処理が繰り返し実行される。予め設定された重要度の範囲内であると判定された場合（Ｓ１０３でＹＥＳ）には、文字取得部１５２によって、文字列情報が取得される（Ｓ１０５）。そして、カウント部１５３によって、ステップＳ１０５において取得された文字列情報に含まれ、単語記憶部１６１に格納された登録単語の出現回数がカウントされ（Ｓ１０７）。次いで、回数判定部１５４によって、ステップＳ１０７においてカウントされた出現回数が予め設定された閾値回数（ここでは、１０回）以上であるか否かが、単語記憶部１６１に格納された登録単語毎に判定される（Ｓ１０９）。
【００４３】
出現回数が閾値回数以上ではないと判定された場合（Ｓ１０９でＮＯ）には、処理がステップＳ１０５に戻され、ステップＳ１０５以降の処理が繰り返し実行される。出現回数が閾値回数以上であると判定された場合（Ｓ１０９でＹＥＳ）には、音声生成部１５５によって、ステップＳ１０９において閾値回数以上であると判定され、単語記憶部１６１に格納された登録単語に対応する音声情報が音声記憶部１６２から読み出すことにより生成される（Ｓ１１１）。そして、音声出力部１５６によって、ステップＳ１１１において生成された音声情報に対応する音声がスピーカ１４２から出力される（Ｓ１１３）。
【００４４】
次いで、音声出力部１５６によって、音声を停止する旨の操作入力が受け付けられたか否かの判定が行われる（Ｓ１１５）。音声を停止する旨の操作入力が受け付けられていないと判定された場合（Ｓ１１５でＮＯ）には、処理がステップＳ１１３に戻され、ステップＳ１１３以降の処理が繰り返し実行される。音声を停止する旨の操作入力が受け付けられたと判定された場合（Ｓ１１５でＹＥＳ）には、音声出力部１５６によって、スピーカ１４２からの音声が停止され（Ｓ１１７）、処理が終了される。
【００４５】
このようにして、制御信号受信部１０によって、緊急放送の重要性の程度を示す情報である重要度情報（ａｌｅｒｔ＿ｐｒｉｏｒｉｔｙ）が受信される。また、制御信号受信部１０によって受信された重要度情報が、予め設定された重要度の範囲内であるか否か（ここでは、ａｌｅｒｔ＿ｐｒｉｏｒｉｔｙが「１」〜「１１」の範囲内であるか否か）が判定され、予め設定された重要度の範囲内であると判定された場合に、制御信号受信部１０を介して、緊急放送に含まれる文字列情報が取得される。そして、取得された文字列情報に含まれる単語の出現回数が、文字列情報に含まれる単語毎にカウントされ、カウントされた出現回数が予め設定された閾値回数（ここでは、１０回）以上であるか否かが文字列情報に含まれる単語毎に判定される。更に、閾値回数以上であると判定された場合に、閾値回数以上であると判定された単語に対応する音声情報が生成され、生成された音声情報に対応する音声がスピーカ１４２に出力されるため、利便性良好に確実に且つ緊急放送が放送されていることを報知することができる。
【００４６】
すなわち、制御信号受信部１０によって受信された重要度情報が、予め設定された重要度の範囲内である（ここでは、ａｌｅｒｔ＿ｐｒｉｏｒｉｔｙが「１」〜「１１」の範囲内である）と判定された場合に、制御信号受信部１０を介して、緊急放送に含まれる文字列情報が取得され、取得された文字列情報に含まれる単語の出現回数が、予め設定された閾値回数（ここでは、１０回）以上であると判定された場合に、閾値回数以上であると判定された単語に対応する音声情報が生成され、生成された音声情報に対応する音声がスピーカ１４２に出力されるため、ユーザが視聴していない場合（ユーザが装置の近くに居ない場合、睡眠中である場合等）であっても、スピーカ１４２から出力される音声によって緊急放送が放送されていることを知ることができるので、利便性良好に且つ確実に緊急放送が放送されていることを報知することができるのである。
【００４７】
つまり、緊急放送に含まれる文字列情報に含まれる単語の出現回数が、予め設定された閾値回数（ここでは、１０回）以上であると判定された単語に対応する音声がスピーカ１４２に出力されるため、ユーザは、スピーカ１４２から出力される単語によって、緊急放送の概要を確実に報知することができるのである。また、緊急放送の概要を知ることができるので、単にスピーカ１４２から警報が発せられる場合とは異なり、緊急放送の視聴要否、又は、避難等の要否等を判断することができるので、更に利便性を向上することができるのである。
【００４８】
また、予め複数の音声として出力する対象の単語である登録単語情報が単語記憶部１６１に格納されており、単語記憶部１６１に格納された登録単語に対応する音声情報が音声記憶部１６２に予め格納されている。そして、取得された文字列情報に含まれる登録単語の出現回数がカウントされ、カウントされた出現回数が予め設定された閾値回数（ここでは、１０回）以上であるか否かが登録単語毎に判定され、閾値回数以上であると判定された場合に、閾値回数以上であると判定された登録単語に対応する音声情報が音声記憶部１６２から読み出すことにより生成されるため、更に利便性を向上することができる。
【００４９】
すなわち、取得された文字列情報に含まれる登録単語の出現回数がカウントされ、カウントされた出現回数が予め設定された閾値回数（ここでは、１０回）以上であるか否かが単語記憶部１６１に格納された登録単語毎に判定され、閾値回数以上であると判定された場合に、閾値回数以上であると判定された登録単語に対応する音声が出力されるため、登録単語としてユーザにとって重要度の高い単語を単語記憶部１６１に格納しておくことによって、更に利便性を向上することができるのである。また、登録単語に対応する音声情報が音声記憶部１６２から読み出すことにより生成されるため、簡素な構成で音声情報を生成することができるのである。
【００５０】
更に、単語記憶部１６１に、地震、火災、及び、爆発の内、少なくとも１の単語が登録単語として格納されているため、登録単語としてユーザにとって重要度の高い単語が単語記憶部１６１に格納されているので、更に利便性を向上することができるのである。
【００５１】
加えて、制御信号受信部１０によって、ケーブルを介して、放送信号の周波数帯域とは異なる予め設定された特定の周波数帯域（＝ＯＯＢ）を介して、重要度情報が受信されるため、更に確実に緊急放送が放送されていることを報知することができる。
【００５２】
なお、本発明は、以下の形態にも適用可能である。
（Ａ）本実施形態では、放送受信装置が、アナログ放送及びデジタル放送を受信する放送受信機１である場合について説明したが、放送受信装置がデジタル放送及びデジタル放送の一方を受信する形態でもよい。
【００５３】
（Ｂ）本実施形態では、ＣＰＵ１５が、機能的に、重要度判定部１５１、文字取得部１５２、カウント部１５３、回数判定部１５４、音声生成部１５５、及び、音声出力部１５６を備える場合について説明したが、重要度判定部１５１、文字取得部１５２、カウント部１５３、回数判定部１５４、音声生成部１５５、及び、音声出力部１５６の内、少なくとも１の機能部が、回路等のハードウェアによって実現されている形態でもよい。
【図面の簡単な説明】
【００５４】
【図１】は、本発明に係る放送受信機の構成の一例を示すブロック図である。
【図２】は、図１に示す放送受信機における要部の機能構成の一例を示す構成図である。
【図３】は、重要度情報の一例を示す図表である
【図４】は、放送受信機（主にＣＰＵ）の動作の一例を示すフローチャートである。
【符号の説明】
【００５５】
１    放送受信機（放送受信装置）
１０    制御信号受信部（緊急放送受信手段）
１１    放送受信部
１４    出力部
１４１    ディスプレイ（モニタ）
１４２    スピーカ
１５    ＣＰＵ
１５１    重要度判定部（重要度判定手段）
１５２    文字取得部（文字取得手段）
１５３    カウント部（カウント手段）
１５４    回数判定部（回数判定手段）
１５５    音声生成部（音声生成手段）
１５６    音声出力部（音声出力手段）
１６    メモリ
１６１    単語記憶部（単語記憶手段）
１６２    音声記憶部（音声記憶手段）
１７    復号部
２    ＰＣＭＣＩＡカード
２１    ＣＰＵ
２２    メモリ
２３    復号部
２４    暗号化部
【図１】
2008311757.tif 000003
【図２】
2008311757.tif 000004
【図３】
2008311757.tif 000005
【図４】
2008311757.tif 000006